(57)【要約】【課題】  踵着地時から蹴り出し時にかけて踵部のフィット性を向上させる。【解決手段】  アッパー本体３０と、その外甲側にオーバラップして配設され、下側縁部３１ａがアッパー本体下面に固着され、足の距骨Ｔを覆う外側アッパー部材３１とを設ける。外側アッパー部材３１の下側縁部３１ａの後端Ａは踵骨の荷重中心線Ｃより後方に配置され、外側アッパー部材３１の後側縁部３１ｃは距骨Ｔの後方においてアッパー本体３０から分離して設けられている。外側アッパー部材３１の足甲側縁部３１ｂには靴紐４が連結されている。アッパー本体３０の踵部の外甲側には、前後方向伸縮自在な伸縮領域１０が設けられている。伸縮領域１０の上端はアッパー本体３０の履き口まで延び、下端Ｂは踵骨の荷重中心線Ｃより前方に配置されかつ足の外踝高さＨの５５％の高さである高さｈよりも下方に配置されている。【選択図】  図４
2008132227.tif 000002
【特許請求の範囲】
【請求項１】
シューズのアッパー構造であって、
シューズのソールに固着される下面を有し、着用者の足を覆うアッパー本体と、
シューズの外甲側または内甲側の少なくともいずれか一方において、前記アッパー本体の外側にオーバラップして配設されるとともに、その下側縁部が前記アッパー本体の前記下面に固着され、前記アッパー本体の足甲部まで延びる足甲側縁部を有する外側アッパー部材とを備え、
前記外側アッパー部材の下側縁部の後端が、着用者の足の踵骨の荷重中心線よりも後方に配置され、前記外側アッパー部材の後側縁部が足の距骨の後方においてアッパー本体から分離して設けられ、前記外側アッパー部材が足の距骨を覆うとともに、前記外側アッパー部材の前記足甲側縁部にはシューズの緊締部材が連結されており、
前記アッパー本体の踵部の外甲側または内甲側の少なくともいずれか一方には、前後方向に伸縮自在な伸縮領域が設けられ、前記伸縮領域の上端は前記アッパー本体の履き口まで延びており、下端は足の踵骨の前記荷重中心線よりも前方に配置されるとともに足の外踝高さまたは内踝高さの５５％の高さ位置よりも下方に配置されている、
ことを特徴とするシューズのアッパー構造。
【請求項２】
シューズのアッパー構造であって、
シューズのソールに固着される下面を有し、着用者の足を覆うアッパー本体と、
シューズの外甲側において、前記アッパー本体の外側にオーバラップして配設されるとともに、その下側縁部が前記アッパー本体の前記下面に固着され、前記アッパー本体の足甲部まで延びる足甲側縁部を有する外側アッパー部材とを備え、
前記外側アッパー部材の下側縁部の後端が、着用者の足の踵骨の荷重中心線よりも後方に配置され、前記外側アッパー部材の後側縁部が足の距骨の後方においてアッパー本体から分離して設けられ、前記外側アッパー部材が足の距骨を覆うとともに、前記外側アッパー部材の前記足甲側縁部にはシューズの緊締部材が連結されており、
前記アッパー本体の踵部の外甲側には、前後方向に伸縮自在な伸縮領域が設けられ、前記伸縮領域の上端は前記アッパー本体の履き口まで延びており、下端は足の踵骨の前記荷重中心線よりも前方に配置されるとともに足の外踝高さの５５％の高さ位置よりも下方に配置されている、
ことを特徴とするシューズのアッパー構造。
【請求項３】
シューズのアッパー構造であって、
シューズのソールに固着される下面を有し、着用者の足を覆うアッパー本体と、
シューズの内甲側において、前記アッパー本体の外側にオーバラップして配設されるとともに、その下側縁部が前記アッパー本体の前記下面に固着され、前記アッパー本体の足甲部まで延びる足甲側縁部を有する外側アッパー部材とを備え、
前記外側アッパー部材の下側縁部の後端が、着用者の足の踵骨の荷重中心線よりも後方に配置され、前記外側アッパー部材の後側縁部が足の距骨の後方においてアッパー本体から分離して設けられ、前記外側アッパー部材が足の距骨を覆うとともに、前記外側アッパー部材の前記足甲側縁部にはシューズの緊締部材が連結されており、
前記アッパー本体の踵部の内甲側には、前後方向に伸縮自在な伸縮領域が設けられ、前記伸縮領域の上端は前記アッパー本体の履き口まで延びており、下端は足の踵骨の前記荷重中心線よりも前方に配置されるとともに足の内踝高さの５５％の高さ位置よりも下方に配置されている、
ことを特徴とするシューズのアッパー構造。
【請求項４】
請求項１ないし３のいずれかにおいて、
シューズの足長をＬとするとき、踵骨の前記荷重中心線がシューズの踵後端から０．１７Ｌの位置に配置されている、
ことを特徴とするシューズのアッパー構造。
【請求項５】
請求項１ないし３のいずれかにおいて、
シューズの足長をＬとするとき、前記伸縮領域の下端が、アッパー本体下面から０．１５Ｌの高さ位置よりも下方に配置されている、
ことを特徴とするシューズのアッパー構造。
【請求項６】
請求項１ないし３のいずれかにおいて、
前記伸縮領域が側面視逆三角形状に形成されている、
ことを特徴とするシューズのアッパー構造。
【請求項７】
請求項１ないし３のいずれかにおいて、
前記伸縮領域が、シューズの着用時に弾性伸びを生じている、
ことを特徴とするシューズのアッパー構造。
【請求項８】
請求項１ないし３のいずれかにおいて、
前記アッパー本体が、前記足甲部の位置に舌革部を有しており、前記舌革部が前記アッパー本体に伸縮材を介して連結されている、
ことを特徴とするシューズのアッパー構造。
【請求項９】
請求項１ないし３のいずれかにおいて、
前記アッパー本体の剛性が前記外側アッパー部材の剛性よりも高くなっている、
ことを特徴とするシューズのアッパー構造。
【請求項１０】
請求項１ないし３のいずれかにおいて、
前記外側アッパー部材の剛性が前記アッパー本体の剛性よりも高くなっている、
ことを特徴とするシューズのアッパー構造。
【請求項１１】
請求項１ないし３のいずれかにおいて、
シューズが踵部にヒールカウンター部材を備えており、前記アッパー本体の前記伸縮領域が前記ヒールカウンター部材とオーバラップしていない、
ことを特徴とするシューズのアッパー構造。
【発明の詳細な説明】
【技術分野】
【０００１】
本発明は、シューズのアッパー構造に関し、詳細には、シューズの踵着地時から蹴り出し時にかけてシューズ踵部のフィット性を向上できるようにしたものに関する。
【背景技術】
【０００２】
一般に、シューズは、ソールと、その上に固着され、着用者の足を覆うアッパー（甲被）と、アッパーを着用者の足に対して緊締する靴紐等の緊締部材とから構成されている。
【０００３】
また、近年のランニングシューズにおいては、走行時に高次元のクッション性およびライド感（走行感）が要求されており、このため、ソールの変形時には、ソール上面に適度のたわみ（弾性伸び）が生じることが必要とされている。
【０００４】
このようなシューズにおいては、シューズが踵から着地したとき、ソール上面の伸びにともなって、アッパー下面も前後方向に伸びようとし、その結果、アッパー上部は、前後方向に縮もうとする。ところが、従来のシューズは、アッパー上部が前後方向に縮むことができないため、アッパー上部が横に拡がろうとして、履き口に弛みが生じる。その結果、シューズの踵着地時には、履き口が大きく開いてしまって、足の踵部に対するシューズ踵部のフィット性が低下するという問題があった。
【０００５】
一方、特開平６−２１７８０６号公報には、靴底と、靴底に固定され、着用者の足を収容する内部甲被部と、内部甲被部の外側においてシューズの内甲側および外甲側にそれぞれ配設された第１、第２のストラップとを備えたシューズが示されている。各ストラップの一端は、シューズの踵後端上部に形成された孔を通って靴底に固定されており、各ストラップの他端には、靴紐が連結されている。
【０００６】
この場合には、靴紐を介して第１、第２のストラップを締め付けることにより、着用者の足首の周りにシューズの内部甲被部の履き口を密着させて、シューズのフィット性を向上させようとしている。
【０００７】
上記公報に記載のものでは、内部甲被部の履き口の周りに配設された第１、第２のストラップを締め付けることで、シューズの踵着地時における内部甲被部の履き口の開きをある程度防止することは可能であるが、第１、第２のストラップの締め付けにより、足首の自由な動きが阻害されるおそれがある。
【特許文献１】特開平６−２１７８０６号公報（図１および図６参照）
【発明の開示】
【発明が解決しようとする課題】
【０００８】
本発明は、このような従来の実情に鑑みてなされたもので、本発明が解決しようとする課題は、シューズの踵着地時から蹴り出し時にかけて、足首の自由な動きを阻害することなく、シューズの踵部のフィット性を向上できるシューズ用アッパー構造を提供することにある。
【課題を解決するための手段】
【０００９】
請求項１の発明に係るシューズ用アッパー構造は、シューズのソールに固着される下面を有し、着用者の足を覆うアッパー本体と、シューズの外甲側または内甲側の少なくともいずれか一方において、アッパー本体の外側にオーバラップして配設されるとともに、その下側縁部がアッパー本体の下面に固着され、アッパー本体の足甲部まで延びる足甲側縁部を有する外側アッパー部材とを備えている。外側アッパー部材の下側縁部の後端は、着用者の足の踵骨の荷重中心線よりも後方に配置され、外側アッパー本体の後側縁部は足の距骨の後方においてアッパー本体から分離して設けられており、外側アッパー部材は足の距骨を覆っている。外側アッパー部材の足甲側縁部には、シューズの緊締部材が連結されている。アッパー本体の踵部の外甲側または内甲側の少なくともいずれか一方には、前後方向に伸縮自在な伸縮領域が設けられている。伸縮領域の上端はアッパー本体の履き口まで延びており、下端は足の踵骨の荷重中心線よりも前方に配置されるとともに、足の外踝高さまたは内踝高さの５５％の高さ位置よりも下方に配置されている。
【００１０】
請求項１の発明において、シューズ着用の際には、緊締部材を締め付けることにより、外側アッパー部材を介して、アッパー本体が着用者の足の踵骨および距骨に圧接する。これにより、足の踵部を確実にホールドでき、踵部に対するフィット性を確保できる。
【００１１】
シューズの踵着地時には、ソール踵部の変形にともなって、アッパー本体の下部が前後方向に伸びるとともに、上部が前後方向に縮もうとする。このとき、アッパー本体の踵部の外甲側または（および）内甲側には、履き口まで延びる前後方向伸縮自在な伸縮領域が設けられているので、アッパー本体の上部が前後方向に収縮することが可能であり、これにより、アッパー本体上部が横に拡がらず、履き口に弛みが生じるのを防止できる。その結果、シューズの踵着地時には、履き口が大きく開くことがなくなり、足の踵部に対するシューズ踵部のフィット性を向上できる。
【００１２】
この場合、伸縮領域の下端が、足の踵骨の荷重中心線よりも前方に配置されているので、シューズの踵着地時に、足の踵部に対するアッパー本体のフィット性が伸縮領域によって阻害されることなく、踵部のフィット性を維持できる。また、この場合には、伸縮領域の下端が、足の外踝高さまたは内踝高さの５５％の高さ位置よりも下方に配置されているので、伸縮領域が前後方向に伸縮するだけの十分な領域をアッパー本体に確保でき、これにより、シューズの踵着地時に、アッパー本体上部の履き口に大きな弛みが生じるのを防止できる。
【００１３】
これらの点を図４を用いて説明する。なお、図４では、アッパー本体の外甲側に伸縮領域が設けられた例を示している。同図において、Ｋｃは足の外踝の最突出点の位置を示し、Ｈはアッパー本体下面から最突出点Ｋｃまでの高さ（つまり外踝高さ）を示している。また、点Ｂは伸縮領域１０の下端を示しており、一点鎖線Ｃは足の踵骨の荷重中心線を示している。さらに、寸法ｈは、足の外踝高さの５５％の高さを示している。
【００１４】
図４に示すように、伸縮領域１０の下端Ｂは、足の踵骨の荷重中心線Ｃよりも前方に配置されている。これにより、シューズの踵着地時に足の踵骨をホールドできる十分な領域をアッパー本体が確保することができ、足の踵部に対するアッパー本体のフィット性を維持できる。
【００１５】
また、伸縮領域１０の下端Ｂが足の外踝高さＨの５５％の高さｈよりも上方に配置されている場合には、図４から分かるように、アッパー本体１０の履き口部分に伸縮領域１０の領域をほとんど確保できなくなり、その結果、シューズの踵着地時に伸縮領域１０がその伸縮作用をほとんど発揮することができなくなるが、伸縮領域１０の下端Ｂが、足の外踝高さＨの５５％の高さｈよりも下方に配置されている場合には、シューズの踵着地時に伸縮領域１０が前後方向に伸縮するだけの十分な領域が確保されるので、アッパー本体上部の履き口の開きを防止できる。
【００１６】
次に、シューズのフットフラット時（つまりソール全面接地時）から蹴り出し時においては、荷重が前方（つまり爪先側）に移動しようとするが、このとき、靴紐の締め付けによる外側アッパー部材の押圧力により、アッパー本体が足の踵骨および距骨に圧接しており、これにより、足が前方に移動するのを防止でき、足の踵部に対するフィット性を維持できる。しかも、この場合には、外側アッパー部材が着用者の足首の周りを過度に締め付けることがないので、走行時に足首の自由な動きが阻害されることはない。
【００１７】
このように請求項１の発明によれば、アッパーの踵部をアッパー本体および外側アッパー部材からなる内外２層構造にして、アッパー本体および外側アッパー部材がそれぞれ独立して機能する、すなわち、踵着地時にはアッパー本体が機能して履き口の開きを防止し、フットフラット時から蹴り出し時にかけては外側アッパー部材が機能して足の前方への移動を防止するようにしたことにより、シューズの踵着地時から蹴り出し時にかけて、足首の自由な動きを阻害することなく、シューズの踵部のフィット性を向上できるようになる。
【００１８】
請求項２の発明では、伸縮領域および外側アッパー部材がシューズの外甲側に配設されており、請求項３の発明では、伸縮領域および外側アッパー部材がシューズの内甲側に配設されている。
【００１９】
請求項２の発明のように、外側アッパー部材をアッパー本体にオーバラップさせてシューズ外甲側に配設した場合には、踵部外甲側のホールド性が増すので、シューズの踵外甲側から着地する癖を有する競技者に好適のアッパー構造を提供できる。また、請求項３の発明のように、外側アッパー部材をアッパー本体にオーバラップさせてシューズ内甲側に配設した場合には、踵部内甲側のホールド性が増すので、シューズの踵内甲側から着地する癖を有する競技者に好適のアッパー構造を提供できる。
【００２０】
踵骨の荷重中心線は、請求項４の発明に記載されているように、シューズの足長（つまりシューズのサイズ）をＬとするとき、シューズの踵後端から０．１７Ｌの位置に配置されている。
【００２１】
伸縮領域の下端は、別の表現を用いれば、請求項５の発明に記載されているように、シューズの足長（つまりシューズのサイズ）をＬとするとき、アッパー本体下面から０．１５Ｌの高さ位置よりも下方に配置されている。
【００２２】
請求項６の発明では、伸縮領域が側面視逆三角形状に形成されている。
【００２３】
請求項７の発明では、シューズの着用時において、アッパー本体の伸縮領域が弾性伸びを生じている。この場合には、シューズの踵着地時に、アッパー本体の上部が前後方向に縮もうとした際に、アッパー本体の伸縮領域には当初より元に戻ろうとする弾性力が作用しているので、伸縮領域が容易に収縮することができ、これにより、アッパー本体上部の履き口に開きが生じるのを確実に防止できる。
【００２４】
請求項８の発明では、アッパー本体が足甲部の位置に舌革部を有しており、舌革部がアッパー本体に伸縮材を介して連結されている。この場合には、伸縮材の弾性力の作用により、アッパー本体上部の履き口の開きを一層確実に防止できる。
【００２５】
請求項９の発明では、アッパー本体の剛性が外側アッパー部材の剛性よりも高くなっている。この場合には、足に対するアッパー本体のホールド性を重視したアッパー構造を実現できる。
【００２６】
請求項１０の発明では、請求項９の発明とは逆に、外側アッパー部材の剛性がアッパー本体の剛性よりも高くなっている。言い換えれば、アッパー本体の剛性が外側アッパー部材の剛性よりも低くなっている。この場合には、足に対するアッパー本体の追従性を重視したアッパー構造を実現できる。また、この場合、静止時の足への着用感を向上できる。
【００２７】
請求項１１の発明では、シューズが踵部にヒールカウンター部材を備えており、アッパー本体の伸縮領域がヒールカウンター部材とオーバラップしていない。この場合には、アッパー本体の伸縮領域が、シューズ踵部のホールド性を高めるために設けられたヒールカウンター部材の作用を阻害するのを防止できる。
【発明の効果】
【００２８】
以上のように本発明によれば、アッパー本体の外甲側または（および）内甲側に、アッパー本体とオーバラップしかつ足の距骨を覆う外側アッパー部材を設け、外側アッパー部材の下側縁部の後端を着用者の足の踵骨の荷重中心線よりも後方に配置し、外側アッパー部材の後側縁部を足の距骨の後方においてアッパー本体から分離して設け、外側アッパー部材の足甲側縁部にシューズの緊締部材を連結するとともに、アッパー本体の踵部の外甲側または（および）内甲側に前後方向伸縮自在な伸縮領域を設け、伸縮領域の上端をアッパー本体の履き口まで延ばし、下端を足の踵骨の荷重中心線よりも前方に配置しかつ足の外踝高さまたは内踝高さの５５％の高さ位置よりも下方に配置するようにしたので、シューズの踵着地時には、ソール踵部の変形にともなって、アッパー本体の上部が前後方向に収縮することが可能であり、これにより、アッパー本体上部の履き口に弛みが生じるのを防止でき、足の踵部に対するシューズ踵部のフィット性を向上できる効果がある。また、シューズのフットフラット時から蹴り出し時には、外側アッパー部材の押圧力により、足が前方に移動するのを防止でき、足の踵部に対するフィット性を維持できる効果がある。
【発明を実施するための最良の形態】
【００２９】
以下、本発明の実施例を添付図面に基づいて説明する。
【００３０】
図１ないし図６は、本発明の一実施例によるアッパー構造を説明するための図であって、 図１は本発明の一実施例によるアッパー構造体を採用するシューズの外甲側側面図、図２はシューズの内甲側側面図、図３はシューズの平面図、図４は外側アッパー部材を外側に開いた状態におけるシューズの外甲側側面図、図５は外側アッパー部材を外側に開いた状態におけるシューズの内甲側側面図、図６は外側アッパー部材を外側に開いた状態におけるシューズの平面図である。なお、図４ないし図６においては、図示の便宜上、靴紐が取り外された状態で示されている。
【００３１】
図１ないし図６に示すように、シューズ１は、ソール２と、ソール２の上面に固着されたアッパー構造体３とを備えている。アッパー構造体３は、その内側に設けられ、着用者の足を覆うアッパー本体３０と、シューズ１の外甲側においてアッパー本体３０の外側にオーバラップして配設された外側アッパー部材３１とから構成されている。
【００３２】
アッパー本体３０は、シューズ１の踵部から中足部を経て前足部まで延びており、足の踵部、左右両側部および足甲部を覆っている。アッパー本体３０の下面は、シューズ１のソール２の上面に固着されている。
【００３３】
外側アッパー部材３１は、アッパー本体３０の下面においてソール１に固着される下側縁部３１ａと、アッパー本体３０の足甲部に配置され、その前端側部分がアッパー本体３０に固着された足甲側縁部３１ｂと、下側縁部３１ａの後端Ａから足甲上部にかけて斜め上方に延びる後側縁部３１ｃとで限定された領域を有している。外側アッパー部材３１は、下側縁部３１ａおよび足甲側縁部３１ｂの前側部分を除いて、アッパー本体３０から分離して設けられている（図４参照）。
【００３４】
外側アッパー部材３１の下側縁部３１ａの後端Ａは、着用者の足の踵骨の荷重中心線Ｃよりも後方に配置されている（図１および図４参照）。ここで、シューズの足長（つまりシューズのサイズ）をＬとするとき、踵骨の荷重中心線Ｃは、シューズの踵後端から０．１７Ｌの位置に配置されている。なお、実際のシューズには、足長に対して１〜１．５ｃｍ程度の前後方向の遊びが設けられているため、図１に示すように、足長Ｌの前端位置（図示右端位置）は、シューズのつま先部先端の手前側に位置している。外側アッパー部材３１は、足の距骨Ｔを覆っている。外側アッパー部材３１の足甲側縁部３１ｂには、シューズ１の緊締部材である靴紐４を通すためのハトメ孔３１ｄが形成されている。
【００３５】
シューズ１の内甲側においてアッパー本体３０の外側には、ベルト部材３２が設けられている（図２および図５参照）。ベルト部材３２は、各々間隙３２ｅを隔てて配設された複数本（ここでは４本）のベルトから構成されている。ベルト部材３２の下側縁部３２ａは、アッパー本体３０の下面に固着されており、後側縁部３２ｃは、踵部から足甲上部にかけて斜め上方に延びており、踵部分がアッパー本体３０に固着されている（図５参照）。ベルト部材３２の足甲側縁部３２ｂには、シューズ１の緊締部材である靴紐４を通すためのハトメ孔３２ｄが形成されている。外側アッパー部材３１のハトメ孔３１ｄおよびベルト部材３２のハトメ孔３２ｄには、靴紐４が挿通している。
【００３６】
アッパー本体３０の踵部の外甲側には、前後方向に伸縮自在な伸縮領域１０が設けられている（図４および図５参照）。伸縮領域１０は、好ましくは、側面視逆三角形状（つまり扇状）に形成されている。伸縮領域１０の上端はアッパー本体３０の履き口まで延びており、下端Ｂは、足の踵骨の荷重中心線Ｃよりも前方に配置されるとともに、足の外踝の最突出点Ｋｃのアッパー本体下面からの高さである外踝高さＨの５５％の高さ位置であるｈよりも下方に配置されている。別の表現を用いれば、伸縮領域１０の下端Ｂは、アッパー本体下面から０．１５Ｌ（Ｌ：足長）の高さ位置よりも下方に配置されている。
【００３７】
伸縮領域１０は、たとえばナイロンやポリウレタン等の伸縮性合成繊維、またはラバーなどの伸縮材から構成されている。伸縮領域は、ＪＩＳ  １０１８に規定するカットスリップ法を用いて、引張荷重１０Ｎの作用下で１５％以上４０％以下の伸びを有する素材が好ましい。ここで、１５％以上としたのは、１５％より小さいと、縮み量が少ないため、後述するようなシューズの踵着地時に履き口の弛みを吸収できず、履き口が開いてしまうからである。また、４０％以下としたのは、製造上の観点からであり、４０％よりも大きくなると、製作しにくくなるためである。
【００３８】
また、アッパー本体３０は、足甲部の位置に舌革部７を有している。舌革部７は、たとえば外甲側側縁部７ａ（図４参照）がアッパー本体３０から分離して設けられており、外甲側側縁部７ａは、好ましくは、アッパー本体３０に伸縮ベルト（図示せず）などの伸縮材を介して連結されている。
【００３９】
次に、上述のように構成されるアッパー構造体の作用効果について説明する。
【００４０】
シューズ着用の際には、靴紐４を締め付けることにより、外側アッパー部材３１を介して、アッパー本体３０が着用者の足の踵骨および距骨Ｔに圧接する。これにより、足の踵部を確実にホールドでき、踵部に対するフィット性を確保できる。
【００４１】
走行中において、シューズの踵着地時には、ソール踵部の変形にともなって、アッパー本体３０の下部が前後方向に伸びるとともに、上部が前後方向に縮もうとする。このとき、アッパー本体３０の踵部の外甲側には、履き口まで延びる前後方向伸縮自在な伸縮領域１０が設けられているので、アッパー本体３０の上部が前後方向に収縮することが可能であり、これにより、アッパー本体３０上部が横に拡がらず、履き口に弛みが生じるのを防止できる。さらに、この場合には、舌革部７の外甲側側縁部７ａがアッパー本体３０に伸縮材を介して連結されているので、アッパー本体３０上部の履き口の開きを防止できる。その結果、シューズの踵着地時には、履き口が大きく開くことがなくなり、足の踵部に対するシューズ踵部のフィット性を向上できる。
【００４２】
この場合、伸縮領域１０の下端Ｂが、足の踵骨の荷重中心線Ｃよりも前方に配置されているので、シューズの踵着地時に、足の踵骨をホールドできる十分な領域をアッパー本体が確保することができ（図４参照）、これにより、足の踵部に対するアッパー本体３０のフィット性が伸縮領域１０によって阻害されることはなく、足の踵骨をホールドできる十分な領域をアッパー本体３０が確保することができる。また、この場合には、伸縮領域１０の下端Ｂが、足の外踝高さ（つまり、アッパー本体下面から外踝の最突出点Ｋｃまでの高さ）Ｈの５５％の高さｈよりも下方に配置されているので（図４参照）、伸縮領域１０が前後方向に伸縮するだけの十分な領域を確保でき、これにより、シューズの踵着地時に、アッパー本体３０上部の履き口に大きな弛みが生じるのを防止できる。
【００４３】
次に、シューズのフットフラット時（つまりソール全面接地時）から蹴り出し時においては、荷重が前方（つまり爪先側）に移動しようとするが、このとき、靴紐４の締め付けにともなう外側アッパー部材３１の押圧力により、アッパー本体３０が足の踵骨および距骨Ｔに圧接しており、これにより、足が前方に移動するのを防止でき、足の踵部に対するフィット性を維持できる。しかも、この場合には、外側アッパー部材３１が着用者の足首の周りを過度に締め付けることがないので、走行時に足首の自由な動きが阻害されることがない。
【００４４】
このように、アッパーの踵部をアッパー本体３０および外側アッパー部材３１からなる内外２層構造にして、アッパー本体３０および外側アッパー部材３１がそれぞれ独立して機能する、すなわち、踵着地時にはアッパー本体３０が機能して履き口の開きを防止し、フットフラット時から蹴り出し時にかけては外側アッパー部材３１が機能して足の前方への移動を防止するようにしたことにより、シューズの踵着地時から蹴り出し時にかけて、足首の自由な動きを阻害することなく、シューズの踵部のフィット性を向上できるようになる。
【００４５】
なお、アッパー本体３０の伸縮領域１０は、シューズの着用時において弾性伸びを生じているのが好ましい。この場合には、シューズの踵着地時に、アッパー本体３０の上部が前後方向に縮もうとした際に、アッパー本体３０の伸縮領域１０には当初より元に戻ろうとする弾性力が作用しているので、伸縮領域１０が容易に収縮することができ、これにより、アッパー本体上部の履き口に開きが生じるのを確実に防止できる。
【００４６】
前記実施例では、伸縮領域１０および外側アッパー部材３１がシューズの外甲側に設けられた例を示したが、この場合には、シューズの踵外甲側から着地する癖を有する競技者に好適のアッパー構造を提供できる。
【００４７】
その一方、本発明は、伸縮領域をアッパー本体の踵部の内甲側に設けるとともに、外側アッパー部材をアッパー本体にオーバラップしてシューズの内甲側に設けたものにも同様に適用可能である。この場合、伸縮領域の下端は、足の内踝の最突出点のアッパー本体下面からの高さである内踝高さの５５％の高さ位置よりも下方に配置されており、より好ましくは、アッパー本体下面から０．１５Ｌ（Ｌ：足長）の高さ位置よりも下方に配置されている。この場合には、シューズの踵内甲側から着地する癖を有する競技者に好適のアッパー構造を提供できる。
【００４８】
また、伸縮領域および外側アッパー部材は、シューズの外甲側および内甲側の双方に設けられていてもよい。この場合、外甲側の伸縮領域の下端は、足の外踝高さの５５％の高さ位置よりも下方に配置され、内甲側の伸縮領域の下端は、足の内踝高さの５５％の高さ位置よりも下方に配置されている。
【００４９】
図７は、本発明の他の実施例によるアッパー構造体を採用するシューズの外甲側側面図である。同図において、前記実施例と同一符号は同一または相当部分を示している。
【００５０】
図７に示すものでは、アッパー本体３０がシューズ１の中足部領域に設けられておらず、舌革部７の外甲側側縁部７ａがソール近傍まで幅方向に延設されている点が前記実施例と異なっている。そして、アッパー本体３０の踵部と舌革部７の外甲側側縁部７ａとの間は、伸縮領域１０によって連結されている。すなわち、この場合には、伸縮領域１０の下端Ｂがソール上面の近傍に配置されている。
【００５１】
この場合には、シューズの踵着地時において、ソール踵部の変形にともなってアッパー本体３０の踵部上部が前後方向に縮もうとした際に、アッパー本体３０の踵部上部の履き口がより収縮しやすくなっており、これにより、アッパー本体３０の履き口への弛みの発生をより確実に防止できるようになる。
【００５２】
前記各実施例において、アッパー本体３０の剛性は、外側アッパー部材３１の剛性より高くしてもよい。これは、たとえば、樹脂で予めヒール形状に成形されたカウンターを用いることにより達成できる。この場合には、足に対するアッパー本体３０のホールド性を重視したアッパー構造を実現できる。
【００５３】
あるいは、アッパー本体３０の剛性は、外側アッパー部材３１の剛性より低くしてもよい。これは、たとえば、ラバー等の素材からなるカウンターを用いることにより達成できる。この場合には、足に対するアッパー本体３０の追従性を重視したアッパー構造を実現できる。また、この場合、静止時の足への着用感を向上できる。
【００５４】
また、シューズ１の踵部には、ヒールカウンター部材８が設けられていてもよい（図４参照）。ヒールカウンター部材８は、アッパー本体３０の伸縮領域１０とオーバラップしていないのが好ましい。これにより、伸縮領域１０が、シューズ踵部のホールド性を高めるために設けられたヒールカウンター部材８の機能を阻害するのを防止できる。
【００５５】
本発明によるアッパー構造が採用されるシューズとしては、ランニングシューズが好適であるが、ウォーキングシューズやテニスシューズ、バスケットボールシューズなどのスポーツシューズにも同様に適用可能である。
【図面の簡単な説明】
【００５６】
【図１】本発明の一実施例によるアッパー構造体を採用するシューズの外甲側側面図である。
【図２】シューズ（図１）の内甲側側面図である。
【図３】シューズ（図１）の平面図である。
【図４】外側アッパー部材を外側に開いた状態におけるシューズの外甲側側面図である。
【図５】シューズ（図４）の内甲側側面図である。
【図６】シューズ（図４）の平面図である。
【図７】本発明の他の実施例によるアッパー構造体を採用するシューズの外甲側側面図であって、前記実施例の図４に相当している。
【符号の説明】
【００５７】
１：  シューズ
２：  ソール
３：  アッパー構造体
３０：  アッパー本体
３１：  外側アッパー部材
３１ａ：  下側縁部
３１ｂ：  足甲側縁部
３１ｃ：  後側縁部
４：  靴紐（緊締部材）
８：  ヒールカウンター部材
１０：  伸縮領域
Ａ：  下側縁部後端
Ｂ：  伸縮領域下端
Ｃ：  踵骨荷重中心線
Ｈ：  外踝高さ
ｈ：  外踝高さの５５％の高さ
Ｔ：  距骨
Ｋｃ：  外踝の最突出点
【図１】
2008132227.tif 000003
【図２】
2008132227.tif 000004
【図３】
2008132227.tif 000005
【図４】
2008132227.tif 000006
【図５】
2008132227.tif 000007
【図６】
2008132227.tif 000008
【図７】
2008132227.tif 000009